(57)【要約】【課題】簡単に誤操作を防止できるタッチ式表示操作画面を提供する。【解決手段】操作部と表示部を備えたタッチ式表示操作画面において、前記画面内にタッチ入力操作部と誤操作を防止するためのファンクションスイッチを配置し、前記ファンクションスイッチを一度押すと操作有効状態となり、前記操作有効状態では連続した操作ができるように構成されているので、タッチ入力操作を行う時はファンクションスイッチを押して操作有効状態にすることでタッチ入力操作が可能となり、タッチ入力操作を行わない時は操作無効状態として誤操作を未然に防ぐことができる。【選択図】図１
2007287036.tif 000002
【特許請求の範囲】
【請求項１】
操作部と表示部を備えたタッチ式表示操作画面において、前記画面内にタッチ入力操作部と誤操作を防止するためのファンクションスイッチを配置し、前記ファンクションスイッチを一度押すと操作有効状態となり、前記操作有効状態では連続した操作ができることを特徴とするタッチ式表示操作画面。
【請求項２】
請求項１記載のタッチ式表示画面において、操作有効状態であることを明確に示すために聴覚的あるいは視覚的に、音あるいは前記ファンクションスイッチの表示状態をフリッカーや表示色、文字により変化を付けることを特徴とするタッチ式表示操作画面。
【請求項３】
請求項１記載のタッチ式表示操作画面において、操作有効状態の解除により操作無効状態へ推移するために、前記ファンクションスイッチを再度押すか、または、タイマにより操作有効状態を解除させて操作無効状態にすることを特徴とするタッチ式表示操作画面。
【発明の詳細な説明】
【技術分野】
【０００１】
本発明は、機器制御を行うプログラマブルロジックコントローラに対して操作指示を行うタッチ式表示操作画面に関する。
【背景技術】
【０００２】
機器を操作する時は、タッチ式表示操作画面の操作部でタッチ入力操作が行なわれている。しかし、タッチ式表示操作画面をタッチ入力操作しただけで、直接操作表示をタッチ式表示操作画面からプログラマブルロジックコントローラ（以下、ＰＬＣと略す）を介して制御対象機器へ出力する仕組みでは、不意にタッチ式表示操作画面に触れただけで意図しない操作指示を出力してしまう誤操作を引き起こす恐れがある。この誤操作を防止するために様々な方法が提案されている。
【０００３】
例えば図４の操作者による操作フロー図に示すように、操作待ち状態２ａでタッチ入力操作２ｂした後に操作内容を一度内部に記憶２ｃしておき、確認操作２ｄを行うことで操作内容を許可して操作指示２ｇをＰＬＣ１へ送信し、ＰＬＣ１から制御対象機器３へ操作信号を送信して操作する方法がある。
【０００４】
この確認操作２ｄには様々な方法があり、特許文献１に記されているように、目的とする操作スイッチの他に確認スイッチを設けて確認操作を行う方法や、特許文献２に記されているように、タッチ入力操作を２度操作して確認を行う方法がある。
【特許文献１】特開平７−０４３４９３号公報
【特許文献２】特開２００５−１３０２８８号公報
【発明の開示】
【発明が解決しようとする課題】
【０００５】
しかしながら、上記の確認スイッチを設ける確認方法や、タッチ入力操作を２度行う確認方法では、１つの機器制御操作に対して２つの入力操作を必要としており、連続した操作や操作量が多い場合には、操作効率が上がらない。  
本発明は、上記情況に鑑みてなされたもので、その課題は、簡単に誤操作を防止できるタッチ式表示操作画面を提供することにある。
【課題を解決するための手段】
【０００６】
上記課題を解決するために、請求項１記載の発明は、操作部と表示部を備えたタッチ式表示操作画面において、前記画面内にタッチ入力操作部と誤操作を防止するためのファンクションスイッチを配置し、前記ファンクションスイッチを一度押すと操作有効状態となり、前記操作有効状態では連続した操作ができることを特徴とする。
【０００７】
請求項２記載の発明は、請求項１記載のタッチ式表示画面において、操作有効状態であることを明確に示すために聴覚的あるいは視覚的に、音あるいは前記ファンクションスイッチの表示状態をフリッカーや表示色、文字により変化を付けることを特徴とする。
【０００８】
請求項３記載の発明は、請求項１記載のタッチ式表示操作画面において、操作有効状態の解除により操作無効状態へ推移するために、前記ファンクションスイッチを再度押すか、または、タイマにより操作有効状態を解除させて操作無効状態にすることを特徴とする。
【発明の効果】
【０００９】
本発明によると、タッチ入力操作を行う時はファンクションスイッチを押して操作有効状態にすることでタッチ入力操作が可能となり、タッチ入力操作を行わない時は操作無効状態として誤操作を未然に防ぐことができる。さらに、操作前に一度ファンクションスイッチを押して操作有効状態としてから操作終了するまで、連続した操作が簡単にできる。
【発明を実施するための最良の形態】
【００１０】
以下、本発明の最良の実施の形態を図を参照して説明する。  
図１は本発明の一実施形態であるタッチ式表示操作装置の構成図である。  
図に示すように、本発明の実施形態であるタッチ式表示操作装置は、ＰＬＣ１と、ＰＬＣ１と通信ケーブル５にて通信するタッチ式表示操作画面２と、ＰＬＣ１によって制御される制御対象機器３とから構成されている。タッチ式表示操作画面２内には、複数のタッチ入力操作部６と、タッチ入力操作部６による操作を有効にするためのファンクションスイッチ４が配置されている。
【００１１】
次に、図２の操作フロー図を参照して操作者による操作手順を説明する。  
図２に示すように、タッチ式表示操作画面の操作待ち状態２ａにおいて、操作前にファンクションスイッチ４を押し、操作有効状態１１であれば、タッチ入力操作２ｂによる操作指示２ｇはタッチ式表示操作画面２からＰＬＣ１へ送信される。すると、ＰＬＣ１は制御対象機器３へ操作信号を出力して制御対象機器３が動作する。また、操作待ち状態２ａにおいて、ファンクションスイッチ４を押さず、操作有効状態１１でなければ、タッチ入力操作を行っても操作無効２ｅとなり、操作待ち状態２ａに戻る。
【００１２】
図２の点線部で、タッチ式表示操作画面２内における操作有効状態１１の状態遷移を図３を用いて説明する。すなわち、操作有効状態１１と操作無効状態１２の切換はファンクションスイッチ４で行い、操作無効状態１２でファンクションスイッチ４を押す１３と操作有効状態１１となり、操作有効状態１１でファンクションスイッチ４を押す１３と操作無効状態１２になる。
【００１３】
また、操作有効状態１１から操作無効状態１２への推移は、上述したように、操作有効状態１１においてファンクションスイッチ４を押して１３切換える方法と、タイマによる推移の方法がある。タイマは操作有効状態１１になると、タイマカウントがスタート１５する。タイマカウント中にタッチ入力操作２ｂが行われると、タイマをリセット１６し、再度タイマカウントはスタート１５する。つまり、操作有効状態１１において、タッチ入力操作２ｂ中はタイマのリセット１６とカウントスタート１５を繰り返し、タイムアップ１７するまでは操作有効状態１１を保つ。最後にタッチ入力操作２ｂを行ってから一定時間以上タッチ入力操作２ｂがなければ、タイマはタイムアップ１７して操作有効状態１１から操作無効状態１２へ推移する。
【００１４】
したがって、操作者は操作前にファンクションスイッチ４を一度押すだけで、操作を中断させることなく連続操作ができる。操作無効状態１２では操作ができないのでタッチ入力操作を行っても無効となる。
【００１５】
操作者が操作有効状態１１であるか、操作無効状態１２であるかを確認する方法として、ファンクションスイッチ４の表示切換えを行う。操作有効状態１１と操作無効状態１２とが表示上区別できるように各状態におけるファンクションスイッチ４の表示色を変える。ファンクションスイッチ４の他にスイッチ類を備える場合、操作無効状態１２であるファンクションスイッチ４の表示色を他のスイッチ類と同様にし、操作有効状態１１では、強調できるような表示色にする。ただスイッチの表示色が変わるだけでは、タッチ式表示操作画面内にあるスイッチ類のＯＮ状態と変化がつきにくい。そこで、表示色を変化させる方法の他に、ファンクションスイッチ４をフリッカーさせて強調する。タッチ式表示操作画面２内で、ファンクションスイッチ４がフリッカーしていると、操作者は自然とファンクションスイッチ４が目に入る。さらに、ファンクションスイッチ４に操作有効状態１１であるという意味を表す文字を記すことで、確実に操作有効状態１１であることを示すことができる。
【図面の簡単な説明】
【００１６】
【図１】本発明の一実施例のタッチ式表示操作装置の構成図。
【図２】操作者による操作フロー図。
【図３】操作有効状態の状態遷移を説明するための操作フロー図。
【図４】従来のタッチ式表示操作装置の操作フロー図。
【符号の説明】
【００１７】
１…ＰＬＣ、２…タッチ式表示操作画面、３…制御対象機器、４…ファンクションスイッチ、５…通信ケーブル、６…タッチ入力操作部。
【図１】
2007287036.tif 000003
【図２】
2007287036.tif 000004
【図３】
2007287036.tif 000005
【図４】
2007287036.tif 000006